(57)【要約】【課題】インターロックスイッチの回路／部品や自動ロック機構の回路／構造により装置の安全性を高める方法は、基板の実装面積または構造上の実装空間の増大や、それに伴なうコストアップが課題である。また、シャーシカバーを工具により固定することにより保守員にしかシャーシカバーを開けられないようにする方法では、保守作業性が悪いという問題がある。本発明は、保守作業性を損なわずに低コストで装置の安全性を高める手段を提供する。【解決手段】シャーシカバの一部をシャーシカバー開放時に電源入力ケーブルと干渉する位置に設置することで通電中にシャーシカバーを開けることができなくなり、保守作業性を損なわずに、安価な方法で電子機器の安全性を高めることができる。【選択図】図１
2008171736.tif 000002
【特許請求の範囲】
【請求項１】
着脱式の電源入力ケーブルを使用する電源を持つ電子機器において、機器内部を覆うシ
ャーシカバーの一部分が電源入力ケーブルの周囲を囲むまたは電源入力ケーブルと近接す
ることによりシャーシカバーの開動作時にシャーシカバーの一部分が電源入力ケーブルと
物理的に干渉し、電源入力ケーブル装着状態でシャーシカバーを開けることができないこ
とを特徴とする電子機器。
【請求項２】
請求項１において、電源の入力ケーブル差込口にレバー付きのあらかじめ閉じたカバー
を有し、シャーシカバー装着時のみシャーシカバーが差込口カバーのレバーを押すことに
より差込口カバーが開くことを特徴とする電子機器。
【請求項３】
請求項１または請求項２において、電源の入力ケーブルを囲むまたは電源の入力ケーブ
ルと近接するシャーシカバーの一部分を可動式とすることにより、シャーシカバーを開け
ない状態での電源ユニット着脱が可能である電子機器。
【発明の詳細な説明】
【技術分野】
【０００１】
本発明は、電子機器のシャーシ構造に関するものである。
【背景技術】
【０００２】
電子機器の設計時には、ユーザの安全性を高めるために通電状態で装置内部のエネルギ
ー危険部位を露出させない設計を行なうことが望ましい。そのため、電子機器のシャーシ
カバーやドアの開閉に対しては、機械式のインターロックスイッチ等の検出手段を設けシ
ャーシカバーやドアが開いたときに電源を自動的に遮断する、または通電時にシャーシが
開かないように電子ロック機構を設ける等の方法が使用されている。また、シャーシカバ
ーを工具により固定することにより保守員にしかシャーシカバーを開けられないようにす
る方法も用いられている。
【０００３】
【特許文献１】特開２００２−２０２６９８号公報
【特許文献２】特開２０００−３２５２９２号公報
【発明の開示】
【発明が解決しようとする課題】
【０００４】
解決しようとする課題は、インターロックスイッチの回路／部品や自動ロック機構の回
路／構造による、基板の実装面積または構造上の実装空間の増大や、それに伴なうコスト
アップである。また、インターロックスイッチやロック機構の場合、回路部品、ロック機
構の信頼性を保証する必要がある。
【０００５】
一方、工具によるネジ止めにより保守員にしかシャーシカバーを開けれないようにする
方法の場合、保守作業性が悪い等の課題がある。本発明は、装置の保守作業性を損なわず
に、低コストで装置の安全性を高める手段を提供する。
【課題を解決するための手段】
【０００６】
本発明は、シャーシカバの一部をシャーシカバー開放時に電源入力ケーブルと干渉する
位置に設置することで通電中にシャーシカバーを開けることができなくなり、安価な方法
で電子機器の安全性を高めることを特徴とする。
【発明の効果】
【０００７】
本発明のシャーシ構造は、インターロックスイッチやその周辺回路、ロック機構等を用
いずに装置の安全性を高めることが可能であり、実装面積や実装空間の縮小化や低コスト
という利点がある。また、シャーシカバーの固定方法についてツールレスの固定方法が使
用できるため、装置の保守作業性を損なわない。
【発明を実施するための最良の形態】
【０００８】
着脱式の電源入力ケーブルを使用する電源ユニットを持つ電子機器において、通電状態
で装置内部のエネルギー危険部位を露出させず安全性を高めるという目的を、インターロ
ックスイッチ等の回路を用いずに低コストで実現した。特に、装置内部に触手可能なエネ
ルギー危険部位を有しかつ一般ユーザの装置内部へのアクセスを許容する仕様のコンピュ
ータ機器等に用いると最も効果的である。
【実施例１】
【０００９】
図１は、本発明の一実施例を示したものである。以下、図中のＸＹＺ各軸は矢印の方向
をプラス方向とし、矢印と逆方向をマイナス方向とする。図１の装置は、着脱式の電源入
力ケーブル４を使用する電源ユニット３、およびシャーシカバー１を構成要素として持ち
、シャーシカバー１を取り外すことで装置内部にアクセス可能となっている。図１はシャ
ーシカバー１の取り外し方向がＺ軸のプラス方向の場合の例を示しているが、取り外し方
向は、Ｘ軸に平行な方向以外の方向であればいずれの方向でも構わない。また、シャーシ
カバーの固定方法は図１はネジ止めの場合の例を示しているが、保守作業性を向上させる
ため、人手で外せるネジや、レバーによるロック機構等のツールレスの固定方法を使用す
ることが可能である。
【００１０】
シャーシカバー１には、電源ユニット３の電源入力ケーブル差込口の位置に開口部２を
設ける。これにより、電源入力ケーブル４を挿した状態ではシャーシカバー１を開けるこ
とができなくなるため、通電状態で装置内部にアクセスすることはできなくなり、エネル
ギー危険に対する安全性が向上する。
【実施例２】
【００１１】
実施例１は装置の安全性を高める最も安価な方法と考えられるが、万一シャーシカバー
を開けた状態で誤って電源ユニット３に電源入力ケーブルを差し込んでしまうと電源をオ
ンしてしまうという危険性がある。その危険性を回避してさらに安全性を高めたい場合の
実施例を図２（ａ）および図２（ｂ）に示す。図２（ａ）はシャーシカバー取付前または
取外し後の図、図２（ｂ）はシャーシカバー取付後の図を示している。電源ユニット３の
電源入力ケーブル差込口の位置にレバー５を持つカバー６を設けバネ等により電源ユニッ
ト３単体またはシャーシカバー取付前または取外し後にはカバー６が閉じた状態とする。
シャーシカバー１には電源ユニット３の電源入力ケーブル差込口の位置に開口部２と、レ
バー５に当たる位置にツメ７を設置する。これによりシャーシカバー１を装着したときに
シャーシカバー１のツメ７によってレバー５が押され、電源入力ケーブルの差込口が開き
、シャーシカバー１を取外したときには電源入力ケーブルの差込口はカバー６が閉まり、
電源入力ケーブルを差し込むことができなくなり、実施例１に対しさらに安全性を高める
ことができる。
【実施例３】
【００１２】
図３は、電源ユニットが入力ケーブル方向に着脱可能であり、冗長電源のホットスワッ
プや保守作業性向上のためシャーシカバー装着状態での着脱が必要な場合の実施例を示し
たものである。図３は図１とほぼ同様の構造であるが、シャーシカバー１の一部分である
、電源入力ケーブル４との干渉部８がいずれかの方向に機械的に可動であることを特徴と
し、電源入力ケーブル４との干渉部８を動かすことによりシャーシカバー１を開けること
なく電源ユニット３の取り外しを可能とする。図３は干渉部８が回転式で上方向に動く場
合を示しているが、この場合はシャーシカバー１の取り外し方向をＸ軸のマイナス方向と
して設計することも可能である。
【図面の簡単な説明】
【００１３】
【図１】本発明の実施例１を示した説明図である。
【図２（ａ）】本発明の実施例２（シャーシカバー取付前）を示した説明図である。
【図２（ｂ）】本発明の実施例２（シャーシカバー取付後）を示した説明図である。
【図３】本発明の実施例３を示した説明図である。
【符号の説明】
【００１４】
１…シャーシカバー、２…シャーシカバー開口部、３…電源ユニット、４…電源入力ケ
ーブル、５…レバー、６…差込口カバー、７…ツメ、８…シャーシカバーの電源入力ケー
ブルとの干渉部。
【図１】
2008171736.tif 000003
【図２（ａ）】
2008171736.tif 000004
【図２（ｂ）】
2008171736.tif 000005
【図３】
2008171736.tif 000006